(57)【特許請求の範囲】
【請求項１】
給電部と出力ケーブルとを接続ユニットにより接続するフィルムアンテナにおいて、
樹脂製フィルムの表面上に薄膜導体からなるアンテナ素子を形成してなり、前記給電部を有するフィルムアンテナ本体と、
前記出力ケーブルが接続される出力ケーブル接続部、及び、アンテナ接続部を有し、前記接続ユニットに設けられた基板と、
前記給電部及び前記アンテナ接続部の間に挟まれる導電性ゴムワッシャと、
前記接続ユニットに設けられた位置決めボスと、
前記フィルムアンテナ本体、前記導電性ゴムワッシャ及び前記基板を加圧保持する加圧保持手段と、
前記給電部、前記アンテナ接続部及び前記導電性ゴムワッシャにそれぞれ設けられた透孔と、を備え、
前記位置決めボスに、前記給電部、前記アンテナ接続部及び前記導電性ゴムワッシャにそれぞれ設けられた前記透孔を嵌め込み、且つ、前記加圧手段により前記フィルムアンテナ本体、前記導電性ゴムワッシャ及び前記接続ユニットを加圧保持することによって、前記給電部と前記アンテナ接続部との電気的接続、及び、前記フィルムアンテナ本体の保持をはかることを特徴とするフィルムアンテナ。
【請求項２】
前記加圧保持手段は、前記給電部、前記アンテナ接続部及び前記導電性ゴムワッシャを収納し、且つ、前記位置決めボス及びこの位置決めボスと対向する押圧ボスが形成されたケースを有することを特徴とする請求項１に記載のフィルムアンテナ。
【請求項３】
給電部と出力ケーブルとを接続するフィルムアンテナにおいて、
前記給電部を有し、樹脂製フィルムの表面上にストリップ状薄膜導体からなるアンテナ素子を形成してなるフィルムアンテナ本体と、
二分割され、互いに係合する段差部をそれぞれ有する上ケースと下ケースとを接合することにより一体化可能な如く設けられたケースと、このケース内に分割面に対して垂直な方向に突設され、前記フィルムアンテナ本体、及び、前記ケースの少なくとも一方を位置決めするとともに、前記フィルムアンテナ本体を複数箇所で位置決めする複数個の位置決めボスと、これら複数個の位置決めボスにより位置決めされ、一端部に前記フィルムアンテナ本体の給電部を接続するためのアンテナ接続部を有し他端部に前記出力ケーブルの一端部を接続するためのケーブル接続部を有する基板と、前記ケース内に設けられ前記フィルムアンテナ本体を位置決めする前記複数個の位置決めボスの一つと対向する押圧ボスと、前記アンテナ接続部と前記フィルムアンテナ本体の給電部とを電気的に接続する導電性ゴムワッシャと、を具備する接続ユニットと、
前記給電部、前記アンテナ接続部及び前記導電性ゴムワッシャにそれぞれ設けられた透孔と、を備え、
前記導電性ゴムワッシャを前記アンテナ接続部及び前記給電部の間に挟みこみ、且つ、前記給電部、前記アンテナ接続部及び前記導電性ゴムワッシャにそれぞれ設けられた前記透孔を前記押圧ボスと対向する前記位置決めボスに嵌め込み、且つ前記上ケースと下ケースとの一体化により、前記位置決めボスと前記押圧ボスとの加圧保持力によって、前記フィルムアンテナ本体、前記導電性ゴムワッシャ及び前記接続ユニットを加圧保持し、前記アンテナ接続部と前記給電部との電気的接続、及び、前記下ケースと前記導電性ゴムワッシャとによる前記フィルムアンテナ本体の保持をはかるように構成されていることを特徴とするフィルムアンテナ。
【発明の詳細な説明】
【０００１】
【発明の属する技術分野】
本発明は、例えば自動車の窓ガラス等に張り付けて使用される、デジタル・オーディオ放送（本発明ではＤＡＢ(Digital Audio Broadcast) と略称する）フィルムアンテナなどに広く適用可能なフィルムアンテナに関する。
【０００２】
【従来の技術】
従来から知られているこの種のフィルムアンテナは、一般に樹脂製フィルムの表面上にストリップ状薄膜導体からなるアンテナ素子を形成してなるフィルムアンテナ本体の給電部を、接続ユニットを介して出力ケーブルに接続するように構成されている。
【０００３】
上記フィルムアンテナ本体は、その基材として樹脂製フィルムを使用していることから、耐熱性に乏しい。このためフィルムアンテナ本体の給電部と接続ユニットのアンテナ接続部とをハンダ付けにより接続することは困難である。
【０００４】
そこで上記ハンダ付けに代えて、接続ユニットのアンテナ接続部に一端を接続したバネ性を有する接触子の他端を、フィルムアンテナ本体の給電部に圧接させることにより、フィルムアンテナ本体の給電部と接続ユニットのアンテナ接続部との接続をはかる手段が従来多用されている。
【０００５】
【発明が解決しようとする課題】
上記接触子を用いる手段によれば、ハンダ付けによる弊害は回避される。しかし、バネ性を有する接触子を使用しているため、組み付けに際し、フィルムアンテナ本体の給電部と接続ユニットのアンテナ接続部との位置決めが難しく、複雑な構造の位置決め機構を必要とするという難点がある。
【０００６】
本発明の目的は、ハンダ付けを行なうことなく、フィルムアンテナ本体の給電部と接続ユニットのアンテナ接続部とを安定確実に接続することができる上、複雑な構造の位置決め機構等を必要とせず、簡単に製作することが可能なフィルムアンテナを提供することにある。
【０００７】
【課題を解決するための手段】
前記課題を解決し目的を達成するために、本発明のフィルムアンテナは下記の如く構成されている。
【０００８】
（１）本発明のフィルムアンテナは、
給電部と出力ケーブルとを接続ユニットにより接続するフィルムアンテナにおいて、
樹脂製フィルムの表面上に薄膜導体からなるアンテナ素子を形成してなり、前記給電部を有するフィルムアンテナ本体と、
前記出力ケーブルが接続される出力ケーブル接続部、及び、アンテナ接続部を有し、前記接続ユニットに設けられた基板と、
前記給電部及び前記アンテナ接続部の間に挟まれる導電性ゴムワッシャと、
前記接続ユニットに設けられた位置決めボスと、
前記フィルムアンテナ本体、前記導電性ゴムワッシャ及び前記基板を加圧保持する加圧保持手段と、
前記給電部、前記アンテナ接続部及び前記導電性ゴムワッシャにそれぞれ設けられた透孔と、を備え、
前記位置決めボスに、前記給電部、前記アンテナ接続部及び前記導電性ゴムワッシャにそれぞれ設けられた前記透孔を嵌め込み、且つ、前記加圧手段により前記フィルムアンテナ本体、前記導電性ゴムワッシャ及び前記接続ユニットを加圧保持することによって、前記給電部と前記アンテナ接続部との電気的接続、及び、前記フィルムアンテナ本体の保持をはかることを特徴とする。
【０００９】
（２）本発明のフィルムアンテナは、前記（１）に記載のフィルムアンテナであって、
前記加圧保持手段は、前記給電部、前記アンテナ接続部及び前記導電性ゴムワッシャを収納し、且つ、前記位置決めボス及びこの位置決めボスと対向する押圧ボスが形成されたケースを有することを特徴としている。
【００１０】
（３）本発明のフィルムアンテナは、
給電部と出力ケーブルとを接続するフィルムアンテナにおいて、
前記給電部を有し、樹脂製フィルムの表面上にストリップ状薄膜導体からなるアンテナ素子を形成してなるフィルムアンテナ本体と、
二分割され、互いに係合する段差部をそれぞれ有する上ケースと下ケースとを接合することにより一体化可能な如く設けられたケースと、このケース内に分割面に対して垂直な方向に突設され、前記フィルムアンテナ本体、及び、前記ケースの少なくとも一方を位置決めするとともに、前記フィルムアンテナ本体を複数箇所で位置決めする複数個の位置決めボスと、これら複数個の位置決めボスにより位置決めされ、一端部に前記フィルムアンテナ本体の給電部を接続するためのアンテナ接続部を有し他端部に前記出力ケーブルの一端部を接続するためのケーブル接続部を有する基板と、前記ケース内に設けられ前記フィルムアンテナ本体を位置決めする前記複数個の位置決めボスの一つと対向する押圧ボスと、前記アンテナ接続部と前記フィルムアンテナ本体の給電部とを電気的に接続する導電性ゴムワッシャと、を具備する接続ユニットと、
前記給電部、前記アンテナ接続部及び前記導電性ゴムワッシャにそれぞれ設けられた透孔と、を備え、
前記導電性ゴムワッシャを前記アンテナ接続部及び前記給電部の間に挟みこみ、且つ、前記給電部、前記アンテナ接続部及び前記導電性ゴムワッシャにそれぞれ設けられた前記透孔を前記押圧ボスと対向する前記位置決めボスに嵌め込み、且つ前記上ケースと下ケースとの一体化により、前記位置決めボスと前記押圧ボスとの加圧保持力によって、前記フィルムアンテナ本体、前記導電性ゴムワッシャ及び前記接続ユニットを加圧保持し、前記アンテナ接続部と前記給電部との電気的接続、及び、前記下ケースと前記導電性ゴムワッシャとによる前記フィルムアンテナ本体の保持をはかるように構成されていることを特徴とする。
【００１１】
【発明の実施の形態】
（第１実施形態）
「構成」
図１の（ａ）（ｂ）は本発明の第１実施形態に係るＤＡＢフィルムアンテナの構成を示す図である。本実施形態に係るＤＡＢフィルムアンテナは、フィルムアンテナ本体１０の給電部１３を、接続ユニット２０を介してケーブル群４０のうちの出力ケーブル４２に接続するように設けられている。
【００１２】
図１の（ａ）（ｂ）に示す如く、フィルムアンテナ本体１０は、樹脂製フィルム１１の表面上に、ストリップ状の薄膜導体からなる第１，第２のアンテナ素子１２１，１２２を含む複合アンテナ素子１２を形成したものとなっている。この複合アンテナ素子１２は、適宜な金属等の導電性部材を印刷技術等を用いて図示の如き所定パターンに形成したものである。この複合アンテナ素子１２の給電部１３は、接続ユニット２０のアンテナ接続部３０に接続されている。接続ユニット２０のケーブル接続部３１〜３３には、第１，第２のアンテナ素子１２１，１２２に対応する出力ケーブル４２，及び電源ケーブル４１，接地ケーブル４３が接続されている。
【００１３】
第１のアンテナ素子１２１は、図示の如く直線状をなす素子であり、第１の周波数帯域ｆ１（例えば１．５ＧＨz 帯）に共振する如く設けられている。第２のアンテナ素子１２２は、前記第１のアンテナ素子１２１と平行に配設される基端部１２２ａと、この基端部１２２ａに対し直角に連なる如く配設された中間部１２２ｂと、この中間部１２２ｂに対し直角でかつ前記基端部１２２ａに対し平行に対向する状態に連なる如く設けられた先端部１２２ｃとからなり、前記第１の周波数帯域ｆ１よりも周波数レベルの低い第２の周波数帯域ｆ２（例えば１７４〜２４０ＭＨz 帯）に共振する如く設けられている。このように本実施形態における第２のアンテナ素子１２２は、樹脂製フィルム１１上の占有スペースを最小限に抑制すべく、できる限りコンパクト化された状態で配設されている。
【００１４】
図２は接続ユニット２０の構成を示す断面図である。また図３は同じく接続ユニット２０の構成を示す分解斜視図である。
【００１５】
図２及び図３にに示すように、接続ユニット２０は、二分割された上ケース２１ａと下ケース２１ｂとを相互に接合することにより、一体化することが可能なように設けられたケース２１を有している。
【００１６】
前記下ケース２１ｂの内面には、分割面に対し垂直な方向に複数個の位置決めボス２２ａ〜２２ｄ，位置決めボス兼ビス孔２３等が設けられている。また下ケース２１ｂの周縁の二つのコーナ部は、他の部位よりも若干低く形成され、その部分にビス孔２４ａ及び２４ｂが設けられている。なお下ケース２１ｂの縁部表面には、段差部２５が形成されている。
【００１７】
前記上ケース２１ａの内面における前記位置決めボス兼ビス孔２３と対向する位置には、押圧ボス兼ビス孔２６が設けられており、前記ビス孔２４ａ及び２４ｂと対向する位置には、押圧ボス兼ビス孔２７ａ，２７ｂが設けられている。なお上ケース２１ａの縁部表面には、下ケース２１ｂの縁部表面に形成されている段差部２５と係合する段差部２８が形成されている。かくして上ケース２１ａと下ケース２１ｂとが接合された時、上記段差部２５と２８との係合により、両ケース間にずれが生じないように工夫されている。
【００１８】
上ケース２１ａと下ケース２１ｂとの間には基板２９が収容保持されている。この基板２９には、図示はしてないが、例えば増幅回路等が搭載されている。基板２９の一端にはアンテナ接続部３０が設けられており、他端にはケーブル接続部３１，３２，３３が設けられている。
【００１９】
この基板２９は前記複数個の位置決めボス２２ａ〜２２ｄ，２３などにより、下ケース２１ｂの内面に位置決め支持される。そして後述するように上ケース２１ａと下ケース２１ｂとの接合時において、フィルムアンテナ本体１０の給電部１３と共に、上ケース２１ａと下ケース２１ｂとによって狭圧保持される。
【００２０】
基板２９の一端に設けられているアンテナ接続部３０は、フィルムアンテナ本体１０の給電部１３との接続をはかり、且つ基板２９上の増幅回路等との導通をはかるための給電端子部３４を有している。この給電端子部３４は、基板２９の表裏両面にリング状に形成された一対の導電リング部相互間を、所謂スルーホールにて導通させたものである。従ってその中心部には透孔が存在している。基板２９のケーブル接続部３１〜３３には、前記ケーブル４１〜４３の各一端がそれぞれハンダ付けされている。
【００２１】
前記フィルムアンテナ本体１０の給電部１３の中心部には、前記位置決めボス兼ビス孔２３に嵌め込まれる透孔が設けられており、上記給電部１３の両側には前記下ケース２１ｂに設けてある位置決めボス２２ａ，２２ｂに対して嵌め込まれる取り付け孔１４ａ，１４ｂが設けてある。
【００２２】
符号３５は導電性ゴムワッシャであり、次に述べる組み付け時において、前記給電部１３と前記給電端子部３４との間に介挿される。
【００２３】
基板２９のアンテナ接続部３０と、フィルムアンテナ本体１０の給電部１３とは、次のような組み付け手順にしたがって組み付けられ、電気的な接続がはかられる。
【００２４】
「組み付け手順」
(a) 下ケース２１ｂの内面にフィルムアンテナ本体１０の給電部側の一端を載せる。このとき、フィルムアンテナ本体１０の給電部１３の透孔を、下ケース２１ｂの位置決めボス兼ビス孔２３の外周に嵌め込む。またフィルムアンテナ本体１０の取り付け孔１４ａ，１４ｂを、下ケース２１ｂの位置決めボス２２ａと２２ｂに対して嵌め込む。
【００２５】
(b) 導電性ゴムワッシャ３５を、フィルムアンテナ本体１０の給電部１３を構成する導電リング部の中心を貫通して上方へ突出した位置決めボス兼ビス孔２３の先端外周に対して嵌め込む。
【００２６】
(c) 基板２９を、上記フィルムアンテナ本体１０の上に、一部をオーバラップさせた状態で載置する。このとき導電性ゴムワッシャ３５の中心を貫通して上方へ突出した状態となっている前記位置決めボス兼ビス孔２３の先端外周に対し、基板２９のアンテナ接続部３０における給電端子部３４の透孔を嵌め込む。
【００２７】
(d) 上ケース２１ａを基板２９の上から被せ、その周縁に設けてある段差部２８を下ケース２１ｂの段差部２５に係合させる。こうすることにより、押圧ボス兼ビス孔２６がアンテナ接続部３０の給電端子部３４の上に当接すると共に、押圧ボス兼ビス孔２７ａ，２７ｂがビス孔２４ａ及び２４ｂの上面に当接する。
【００２８】
(e) ビス３６ａ〜３６ｃをそれぞれ二点鎖線で示す如くねじ込む。こうすることにより上ケース２１ａと下ケース２１ｂとが一体化される。このときフィルムアンテナ本体１０の給電部１３と、導電性ゴムワッシャ３５と、アンテナ接続部３０における給電端子部３４とは、上ケース２１ａに設けてある押圧ボス兼ビス孔２６と下ケース２１ｂに設けてある位置決めボス兼ビス孔２３とにより、強い力で加圧保持される。このためフィルムアンテナ本体１０の給電部１３と基板２９のアンテナ接続部３０とは、導電性ゴムワッシャ３５を介して電気的に接続される。
【００２９】
このように本実施形態に係るフィルムアンテナによれば、フィルムアンテナ本体１０の給電部１３と接続ユニット２０のアンテナ接続部３０とをハンダ付けを行なうことなく接続することができる。しかも二分割された上ケース２１ａと下ケース２１ｂとを接合する際の加圧力で、フィルムアンテナ本体１０の給電部１３と接続ユニット２０のアンテナ接続部３０とが導電性ゴムワッシャ３５を介して圧接されるため、上記給電部１３とアンテナ接続部３０とは安定確実に電気的な接続がはかられる。さらに、フィルムアンテナ本体１０の給電部１３と接続ユニット２０のアンテナ接続部３０とは、上ケース２１ａと下ケース２１ｂとに設けられている位置決めボス等により、組み付け操作を行なう過程で極めて自然に位置決めがなされる。この結果、複雑な構造の位置決め機構等を一切必要とせず簡単に製作することが可能となる。
【００３０】
（実施形態における特徴点）
［１］実施形態に示されたフィルムアンテナは、
樹脂製フィルム(11)の表面上に薄膜導体からなるアンテナ素子(12)を形成してなるフィルムアンテナ本体(10)の給電部(13)と、出力ケーブル接続部(31,32,33)を有する接続ユニット(20)のアンテナ接続部(30)と、前記給電部(13)及び前記アンテナ接続部(30)の間に挟まれる導電性ゴムワッシャ(35)とを、前記給電部(13)、前記アンテナ接続部(30)及び前記導電性ゴムワッシャ(35)にそれぞれ設けられた透孔に位置決めボス(23)を嵌め込み、且つ加圧保持手段(23,26,36a〜36c)により前記フィルムアンテナ本体(10)、前記導電性ゴムワッシャ(35)及び前記接続ユニット(20)を加圧保持することによって、前記給電部(13)と前記アンテナ接続部(30)との電気的接続、及び、前記フィルムアンテナ本体(10)の保持をはかるようにしたことを特徴としている。
【００３１】
［２］実施形態に示されたフィルムアンテナは、
前記加圧保持手段(23,26,36a〜36c)は、前記給電部(13)、前記アンテナ接続部(30)及び前記導電性ゴムワッシャ(35)を収納し、且つ、前記位置決めボス(23)及びこの位置決めボス(23)と対向する押圧ボス(26)が形成されたケース(21)を有することを特徴とする請求項１に記載のフィルムアンテナ。
【００３２】
［３］本発明のフィルムアンテナは、
樹脂製フィルム(11)の表面上にストリップ状薄膜導体からなるアンテナ素子(12)を形成してなるフィルムアンテナ本体(10)の給電部(13)を、接続ユニット(20)を介して出力ケーブル(40)に接続するように設けられたフィルムアンテナであって、
前記接続ユニット(20)は、
二分割され、互いに係合する段差部(25,28)をそれぞれ有する上ケース(21a)と下ケース(21b)とを接合することにより一体化可能な如く設けられたケース(21)と、このケース(21)内に分割面に対して垂直な方向に突設され、前記フィルムアンテナ本体(10)、及び、前記ケース(21)の少なくとも一方を位置決めするとともに、前記フィルムアンテナ本体(10)を複数箇所で位置決めする複数個の位置決めボス(22a〜22d,23)と、これら複数個の位置決めボス(22a〜22d,23)により位置決めされ、一端部に前記フィルムアンテナ本体(10)の給電部(13)を接続するためのアンテナ接続部(30)を有し、他端部に前記出力ケーブル(40)の一端部を接続するためのケーブル接続部(31,32,33)を有する基板(29)と、前記ケース(21)内に設けられ前記フィルムアンテナ本体(10)を位置決めする前記複数個の位置決めボス(22a〜22d,23)の一つと対向する押圧ボス(26)と、前記アンテナ接続部(30)と前記フィルムアンテナ本体(10)の給電部(13)とを電気的に接続する手段(13,23,26,30,35,36a 〜36c)とを備え、
前記電気的に接続する手段(13,23,26,30,35,36a 〜36c)は、前記アンテナ接続部(30)と、前記フィルムアンテナ本体(10)の給電部(13)と、前記アンテナ接続部(30)及び前記給電部(13)の間に挟みこむ導電性ゴムワッシャ(35)とを、前記押圧ボス(26)と対向する前記位置決めボス(23)に嵌め込み、且つ前記上ケース(21a)と下ケース(21b)との一体化により、前記位置決めボス(23)と前記押圧ボス(26)との加圧保持力によって、前記フィルムアンテナ本体(10)、前記導電性ゴムワッシャ(35)及び前記接続ユニット(20)を加圧保持し、前記アンテナ接続部(30)と前記給電部(13)との電気的接続、及び、前記下ケース(21b)と前記導電性ゴムワッシャ(35)とによる前記フィルムアンテナ本体(10)の保持をはかるように構成されていることを特徴としている。
【００３３】
［４］実施形態に示されたフィルムアンテナは、前記［１］〜［３］に記載されている事項の少なくとも一部を適宜組み合わせた内容を含んでいることを特徴としている。
【００３４】
【発明の効果】
以上説明したように、本発明によればハンダ付けを行なうことなく、フィルムアンテナ本体の給電部と接続ユニットのアンテナ接続部とを安定確実に接続することができる上、複雑な構造の位置決め機構等を必要とせず、簡単に製作することが可能なフィルムアンテナを提供できる。
【図面の簡単な説明】
【図１】本発明の第１実施形態に係るフィルムアンテナの構成を示す図で、（ａ）は上面図、（ｂ）側面図。
【図２】本発明の第１実施形態に係るフィルムアンテナの接続ユニットの構成を示す断面図。
【図３】本発明の第１実施形態に係るフィルムアンテナの接続ユニットの構成を示す分解斜視図。
【符号の説明】
１０…フィルムアンテナ本体
１１…樹脂製フィルム
１２…アンテナ素子
１３…給電部
１４ａ，１４ｂ…取り付け孔
２０…接続ユニット
２１…ケース
２１ａ，２１ｂ…上下ケース
２２ａ〜２２ｄ…位置決めボス
２３…位置決めボス兼ビス孔
２４ａ，２４ｂ…ビス孔
２５，２８…段差部
２６，２７ａ，２７ｂ…押圧ボス兼ビス孔
２９…基板
３０…アンテナ接続部
３１〜３３…ケーブル接続部
３４…給電端子部
３５…導電性ゴムワッシャ
３６ａ〜３６ｃ…ビス
【図１】
0004350247.tif 000002
【図２】
0004350247.tif 000003
【図３】
0004350247.tif 000004